(57)【要約】      （修正有）【課題】振動及びローリング可能なマッサージ器構造を提供する。【解決手段】軟質本体１０、少なくとも１個の定位部２０を備え、軟質本体１０はマッサージ板１１、マッサージ板１１を使用者の手に定位する少なくとも１本のベルトユニット１２を備え、マッサージ板１１の片面には、若干のマッサージ顆粒１１１を設置し、反対面には、若干のマッサージローリングボール１１２を設置し、少なくとも１個の定位部２０は、軟質本体１０上の適当な位置に設置し、複数の同心弧状定位孔により、環状に列を成して形成され、しかも弧状定位孔は一端に広孔を備える。【選択図】図２
0003148736.tif 000002
【実用新案登録請求の範囲】
【請求項１】
軟質本体、少なくとも１個の定位部を備え、
前記軟質本体は、マッサージ板、前記マッサージ板を定位する少なくとも１本のベルトユニットを備え、前記マッサージ板の片面には、若干のマッサージ顆粒を設置し、反対面には、若干のマッサージローリングボールを設置し、
前記少なくとも１個の定位部は、前記軟質本体上の適当な位置に設置し、複数の同心弧状定位孔により、環状に列を成して形成され、しかも前記弧状定位孔は一端に広孔を備えることを特徴とする振動及びローリング可能なマッサージ器構造。
【請求項２】
前記マッサージ板の輪郭形状は、「山」の字型或いは「８」の字型の内の一つであることを特徴とする請求項１に記載の振動及びローリング可能なマッサージ器構造。
【請求項３】
前記定位部上には、さらにモーター台を設置し、
前記モーター台内には、電池を設置し、表面はマッサージ顆粒を備えるマッサージカバーにより覆い、底部には弧状定位孔と対応するＴ型定位ボルトを備え、これによりモーター台は前記定位部上に回して設置され、
前記モーター台外には、外部電源と連接する電源ポートを設置し、これにより外部電力の供給を受けることを特徴とする請求項１に記載の振動及びローリング可能なマッサージ器構造。
【考案の詳細な説明】
【技術分野】
【０００１】
本考案はマッサージ用品の構造技術に関し、特に使用者は手に装着可能な振動及びローリング可能なマッサージ器構造に関する。
【背景技術】
【０００２】
マッサージは、身体のある部位に適当に圧力を加えることで、血行を促進し、筋肉をほぐし、ストレスを和らげる方法である。しかし、専門訓練の受講経験がない一般人は、力を加える時に身体の力量をいかにして運用するかを理解できず、しかも、マッサージを行う時間が長い、或いは姿勢が不正確であれば、恒常的に運用されていない手の筋肉は、しばしばだるさや痛みを生じ、或いは力が出なくなってしまう状況が発生し易い。
【０００３】
使用者が、より省力化された方式によりマッサージ操作を可能とするため、市場には、マッサージを補助するハンドヘルド式のマッサージバー、マッサージローラー等多くのマッサージ器材が販売されている。
【０００４】
しかし、該ハンドヘルド式マッサージ器材の使用においては、マッサージ操作者は直接的な触感により、マッサージを受ける使用者の身体構造を感じることができないため、しばしば不適切感を催す。しかも、ハンドヘルド式マッサージ器材は、操作者が手で持つ方式で操作を行うため、ある程度の時間の使用後には、使用者は親指と人差し指の間、及び腕にだるい痛みを生じ易く、さらには握る姿勢が悪ければ、手に擦り傷を負う恐れさえある。
【０００５】
本考案は、従来のハンドヘルド式マッサージ器材の上記した欠点に鑑みてなされたものである。
【考案の開示】
【考案が解決しようとする課題】
【０００６】
本考案が解決しようとする主要な課題は、使用者が手に装着することにより、マッサージ操作時にマッサージ部位の起伏変化をより正確に把握でき、マッサージ操作がより簡単で便利となり、省力化を図ることができる使用者が手に装着する方式によりマッサージ操作を行うことができる振動及びローリング可能なマッサージ器構造を提供することである。
【課題を解決するための手段】
【０００７】
上記課題を解決するため、本考案は下記の振動及びローリング可能なマッサージ器構造を提供する。
振動及びローリング可能なマッサージ器構造は、軟質本体、少なくとも１個の定位部、モーター台、該モーター台に設置する振動モーター、該モーター台表面を覆い、マッサージ顆粒を備えるマッサージカバーを備え、
該軟質本体は、マッサージ板、該マッサージ板を使用者の手に定位する少なくとも１本のベルトユニットを備え、該マッサージ板の片面には、若干のマッサージ顆粒を設置し、反対面には、若干のマッサージローリングボールを設置する。
該少なくとも１個の定位部は、該軟質本体上の適当な位置に設置し、複数の同心弧状定位孔により、環状に列を成して形成され、しかも該弧状定位孔は一端に広孔を備え、該定位部は軟質本体のベルトユニット上或いはマッサージ板上に設置することができる。
該モーター台は、弧状定位孔と対応するＴ型定位ボルトを備え、これによりモーター台は該定位部上に回して設置される。
該マッサージ板両側は突出して側翼部を設置し、これにより該マッサージ板は、人の手の平と対応する「山」の字型輪郭を呈し、或いは該マッサージ板は、人の手の平と対応する「８」の字型の輪郭を呈する。
該モーター台内には、電池を設置し、これにより該振動モーターの作動に必要な電力を提供し、或いは該モーター台上には、外部電源と連接する電源ポートを設置し、これにより該振動モーターの作動に必要な電力の供給を受ける。
【考案の効果】
【０００８】
使用者は本考案を手に装着可能で、これにより使用者はローリング、振動マッサージを簡単に、力を節約した状態で行うことができ、手と手が圧力を加える部位に対して、同時に振動マッサージを行うことができる。さらに、振動効果を提供する振動モーターは、工具を使用する必要がなく、モーター台中に迅速に組み立て及び分解することができ、使用者の必要に応じて、振動モーターを配置することができる。
【考案を実施するための最良の形態】
【０００９】
以下に図面を参照しながら本考案を実施するための最良の形態について詳細に説明する。
【００１０】
図１は、本考案一実施形態による振動及びローリング可能なマッサージ器構造において、第一実施形態を示す立体分解図である。図１に示すように、本考案一実施形態による振動及びローリング可能なマッサージ器構造の第一実施形態は、軟質本体１０、軟質本体１０上に設置する少なくとも１個の定位部２０、定位部２０上に設置するモーター台３０、モーター台３０内に設置する振動モーター４０、モーター台３０外を包むマッサージカバー５０を備える。その組み立て後の状態は、図２に示す。
【００１１】
図３は、本考案一実施形態による振動及びローリング可能なマッサージ器構造において、第一実施形態を示す断面図である。図１、図３に示すように、軟質本体１０はマッサージ板１１、マッサージ板１１を使用者の手に定位する少なくとも１個のベルトユニット１２（図中のマッサージ板１１側縁は延伸し、２組のベルトユニット１２を設置する）を備える。マッサージ板１１の片面には、若干のマッサージ顆粒１１１を突出設置し、反対面には、若干のマッサージローリングボール１１２を設置する。本実施形態において、マッサージ板１１両側には、側翼部１１aを突出し、これによりマッサージ板１１は人の手の平と対応する「山」の字型の輪郭を呈する。
【００１２】
定位部２０は、軟質本体１０上に設置する若干の同心弧状定位孔２１により、環状に列を成して形成され、しかも弧状定位孔２１は一端に広孔２２を備える。本実施形態においては、計３個の定位部２０を設置し、内１個の定位部２０は、軟質本体１０のベルトユニット１２上に設置し、他の２個の定位部２０は、マッサージ板１１上に設置する。
【００１３】
モーター台３０は、弧状定位孔２１と対応する若干のＴ型定位ボルト３１を備え、これによりモーター台３０は定位部２０上において回して設置される（図中のモーター台３０は、ベルトユニット１２上に位置する定位部２０に設置する）。組合せ時には、Ｔ型定位ボルト３１を、広孔２２から弧状定位孔２１中に挿入し、次に、狭い方へとスライドさせ、定位効果を生じる。取り外し時には、Ｔ型定位ボルト３１を、狭い方から広孔２２へとスライドさせ、弧状定位孔２１中から抜き取る。こうして、工具を使用する必要なく、モーター台３０は定位部２０において、組合せと取り外しを迅速に行うことができる。
【００１４】
振動モーター４０は、モーター台３０の収容設置槽３２中に設置し、モーター台３０中には電池（図示なし）を内蔵し、これにより振動モーター４０の作動に必要な電力を提供する。或いは、モーター台３０上に外部電源（図示なし）と連接する電源ポート３３を設置し、これにより振動モーター４０の作動に必要な電力を提供することもできる。
【００１５】
マッサージカバー５０は、軟質樹脂により構成し、表面にはマッサージ顆粒５１を設置する。マッサージ顆粒５１は、モーター台３０の外部を覆うことができる他、マッサージ顆粒５１はマッサージに用いられる。
【００１６】
使用時には、マッサージ操作者は、２組のベルトユニット１２を手に巻き付け、嵌合するだけで、マッサージ器を装着することができる。例えば、内１組のベルトユニット１２を指に巻き付け、嵌合し、もう１組のベルトユニット１２は腕に巻き付け、嵌合することで、マッサージ板１１と使用者の手の平は対応し、装着の動作を完了する。
【００１７】
振動モーター４０の運転時には、マッサージ操作者の手の平は振動を受け、マッサージ顆粒１１１によりマッサージ操作者の手の平に対してマッサージを行う。しかも、マッサージ操作者は、マッサージローリングボール１１２により、自身或いは他人の身体に対して、指圧、ローリングを行うことができ、これにより振動マッサージの効果を達成することができる。
【００１８】
図４は、本考案一実施形態による振動及びローリング可能なマッサージ器構造において、第一実施形態の別種の実施形態を示す概略図である。モーター台３０がマッサージ板１１上の定位部２０に設置されると、マッサージ操作者はマッサージカバー５０を握る方式により、ローリングマッサージ器を操作することができる。或いは、ローリングマッサージ器を平面（テーブル面、床面等）上に置き、手の平をマッサージカバー５０上端に押しつければ、マッサージカバー５０上のマッサージ顆粒５１により手の平或いは全身の各部位に対して、移動させながらマッサージを行うことができる。
【００１９】
図５は、本考案一実施形態による振動及びローリング可能なマッサージ器構造において、第二実施形態を示す外観概略図である。第二実施形態の作動原理、採用する技術手段、操作方式は、第一実施形態と相同であるが、第二実施形態のマッサージ板１１は、人の手の平と対応する「８」の字型の輪郭を呈する。第二実施形態のマッサージ板１１は、体積がより小さいため、外出や旅行時の携帯に便利である。
【００２０】
図６は、本考案一実施形態による振動及びローリング可能なマッサージ器構造において、第三実施形態の別種の実施形態を示す概略図である。図６に示すように、第三実施形態の別種の実施形態は、主にマッサージ板１１上のマッサージ顆粒１１１を、長柱状の構造体とし、より良いマッサージ力を達成することができる。
【００２１】
上記したように、本考案一実施形態による振動及びローリング可能なマッサージ器構造は、使用者が手に装着可能なマッサージ器で、振動原理によりマッサージの進行を補助することができる。これにより、使用者はより簡単に、力を節約しながら、マッサージ操作を行うことができ、手と手が圧力を加える部位に対して、同時に振動マッサージを行うことができる。振動効果を提供する振動モーター４０は、工具を使用する必要なく、モーター台３０中に迅速に組み立て及び分解することができ、使用者の必要に応じて、振動モーター４０を配置することができる。
【００２２】
第一、第二実施形態の説明と図示の内容はすべて、本考案の最適実施形態の例である。例えば、ベルトユニット１２、マッサージ顆粒１１１、マッサージローリングボール１１２、マッサージカバー５０の造形は、説明の便のために用いるに過ぎず、本考案を限定するものではない。当該技術を熟知する者なら誰でも、本考案の製品と領域を脱しない範囲内で各種の変動や潤色を加えることができ、したがって本考案の保護範囲は、実用新案請求の範囲で指定した内容を基準とする。
【図面の簡単な説明】
【００２３】
【図１】本考案一実施形態による振動及びローリング可能なマッサージ器構造において、第一実施形態を示す立体分解図である。
【図２】本考案一実施形態による振動及びローリング可能なマッサージ器構造において、第一実施形態を示す立体外観図である。
【図３】本考案一実施形態による振動及びローリング可能なマッサージ器構造において、第一実施形態を示す断面図である。
【図４】本考案一実施形態による振動及びローリング可能なマッサージ器構造において、第一実施形態の別種の実施形態を示す概略図である。
【図５】本考案一実施形態による振動及びローリング可能なマッサージ器構造において、第二実施形態を示す外観概略図である。
【図６】本考案一実施形態による振動及びローリング可能なマッサージ器構造において、第三実施形態の別種の実施形態を示す概略図である。
【符号の説明】
【００２４】
１０  軟質本体
１１  マッサージ板
１１a  側翼部
１１１  マッサージ顆粒
１１２  マッサージローリングボール
１２  ベルトユニット
２０  定位部
２１  弧状定位孔
２２  広孔
３０  モーター台
３１  Ｔ型定位ボルト
３２  収容設置槽
３３  電源ポート
４０  振動モーター
５０  マッサージカバー
５１  マッサージ顆粒
【図１】
0003148736.tif 000003
【図２】
0003148736.tif 000004
【図３】
0003148736.tif 000005
【図４】
0003148736.tif 000006
【図５】
0003148736.tif 000007
【図６】
0003148736.tif 000008